(57)【要約】本発明に係るトランクス型おむつは、おむつを装着した際の左右の脚回りに関して、装着感に優れ、脱着が容易で、防漏性の高いおむつの提供を目的とし、おむつの展開状態において、第１脚回り弾性部材（１５ａ）は、前身頃の左縁（７ａ１）から股間部（６）前縁を経て前身頃の右縁（７ｂ１）までほぼ直線状に配設され、第２脚回り弾性部材（１５ｂ）も、後身頃の左縁（７ａ２）から股間部（６）後縁を経て後身頃の右縁（７ｂ２）までほぼ直線状に配設される。上記の結果、前後身頃（２、３）の左右縁（７ａ１、７ｂ１、７ａ２、７ｂ２）を接合した状態のおむつの底面において、第１及び第２脚回り弾性部材が、左右脚開口部（５ａ、５ｂ）を一対として囲んだ状態で配設される。
2009081505.tif 000002
【特許請求の範囲】
【請求項１】
外装シート（１１）及び吸収体（１２）からなり、前身頃（２）、後身頃（３）、股間部（６）、腰開口部（４）及び左右の脚開口部（５ａ、５ｂ）が形成されているトランクス型おむつであって、左右の脚開口部（５ａ、５ｂ）周縁には、脚回り弾性部材が配設されることによって、左右のレッグギャザー（９ａ、９ｂ）が形成されているトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材（１５ａ）は、前身頃の左縁（７ａ１）から股間部（６）前縁を経由して前身頃の右縁（７ｂ１）まで、ほぼ直線状に配設され、上記第２脚回り弾性部材（１５ｂ）も、後身頃の左縁（７ａ２）から股間部（６）後縁を経由して後身頃の右縁（７ｂ２）まで、ほぼ直線状に配設されて成り、上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が、０乃至３０度の範囲に設定されていることを特徴とするトランクス型おむつ。
【請求項２】
外装シート（１１）及び吸収体（１２）からなり、前身頃（２）、後身頃（３）、股間部（６）、腰開口部（４）及び左右の脚開口部（５ａ、５ｂ）が形成されているトランクス型おむつであって、左右の脚開口部（５ａ、５ｂ）周縁には、脚回り弾性部材が配設されることによって、左右のレッグギャザー（９ａ、９ｂ）が形成されているトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材（１５ａ）は、前身頃の左縁（７ａ１）から股間部（６）前縁を経由して前身頃の右縁（７ｂ１）まで、直線状に配設され、上記第２脚回り弾性部材（１５ｂ）も、後身頃の左縁（７ａ２）から股間部（６）後縁を経由して後身頃の右縁（７ｂ２）まで、直線状に配設されて成り、上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が０度に設定されていることを特徴とするトランクス型おむつ。
【請求項３】
外装シート（１１）及び吸収体（１２）からなり、前身頃（２）、後身頃（３）、股間部（６）、腰開口部（４）及び左右の脚開口部（５ａ、５ｂ）が形成されているトランクス型おむつであって、左右の脚開口部（５ａ、５ｂ）周縁には、脚回り弾性部材が配設されることによって、左右のレッグギャザー（９ａ、９ｂ）が形成されているトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材の左部（１５ａ１）は前身頃（２）の左縁（７ａ１）から吸収体（１２）の左側縁（１２ａ）を越える所まで、上記第１脚回り弾性部材の右部（１５ａ２）は前身頃（２）の右縁（７ｂ１）から吸収体の右側縁（１２ｂ）を越える所まで、幅方向に沿ってほぼ直線状に配設され、上記第２脚回り弾性部材の左部（１５ｂ１）は後身頃（３）の左縁（７ａ２）から吸収体の左側縁（１２ａ）を越える所まで、上記第２脚回り弾性部材の右部（１５ｂ２）は後身頃（３）の右縁（７ｂ２）から吸収体の右側縁（１２ｂ）を越える所まで、幅方向に沿ってほぼ直線状に配設されて成り、上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ、１２ｂ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が、０乃至３０度の範囲に設定されていることを特徴とするトランクス型おむつ。
【請求項４】
外装シート（１１）及び吸収体（１２）からなり、前身頃（２）、後身頃（３）、股間部（６）、腰開口部（４）及び左右の脚開口部（５ａ、５ｂ）が形成されているトランクス型おむつであって、左右の脚開口部（５ａ、５ｂ）周縁には、脚回り弾性部材が配設されることによって、左右のレッグギャザー（９ａ、９ｂ）が形成されているトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材の左部（１５ａ１）は前身頃（２）の左縁（７ａ１）から吸収体（１２）の左側縁（１２ａ）を越える所まで、上記第１脚回り弾性部材の右部（１５ａ２）は前身頃（２）の右縁（７ｂ１）から吸収体の右側縁（１２ｂ）を越える所まで、幅方向に沿って直線状に配設され、上記第２脚回り弾性部材の左部（１５ｂ１）は後身頃（３）の左縁（７ａ２）から吸収体の左側縁（１２ａ）を越える所まで、上記第２脚回り弾性部材の右部（１５ｂ２）は後身頃（３）の右縁（７ｂ２）から吸収体の右側縁（１２ｂ）を越える所まで、幅方向に沿って直線状に配設されて成り、上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ、１２ｂ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が０度に設定されていることを特徴とするトランクス型おむつ。
【発明の詳細な説明】
【技術分野】
【０００１】
本発明は、トランクス型おむつに関し、詳細には、おむつを装着した際の左右の脚回りに関して、装着感が良好であり、高い防漏性を有し、かつ、安定した吸収性を有するトランクス型おむつに関する。
【背景技術】
【０００２】
トランクス型のおむつは、幼児、成年失禁者や老人等に広く用いられている。このようなトランクス型のおむつは、良好な着用感、排泄物の安定した吸収性や高い防漏性を備えていることが望ましい。その為に、現在様々な改良がなされているが、その一つに、脚開口部周縁に弾性部材を配設して、レッグギャザーとすることによって、排泄物の横漏れを防止するおむつが提案されている。
このレッグギャザーとするための弾性部材の配設形態は種々提案されており、例えば、特開平３−２８０９５１公報又は特開平３−１８６２６３公報に開示されているように、第１及び第２の脚回りの弾性部材を、股間部において２箇所で交差させて配設させるものや、実用新案登録第３０２４３５７号公報に開示されているように、第１及び第２の弾性糸を、股間部において交差はさせないが、互いに最も近接させて配設するもの等がある。
更により具体的に、上記第１及び第２脚回り弾性部材を股間部において２箇所で交差させたものを第９図乃至第１１図で示し、互いに最も近接させたものを第９図、第１２図及び第１３図に示す。これらの図に従って説明すると、おむつ５１は、外装シート６１と、外装シート６１の内側面に設けられ、立体ギャザー６３が側縁に設けられた吸収体６２、腰周り弾性部材６４ａ１、６４ａ２、胴周り弾性部材６４ｂ１、６４ｂ２、第１及び第２の脚回り弾性部材６５ａ、６５ｂから成る。そして、第１０図に示されるおむつの展開状態から、おむつを二つ折りにして、前身頃５２、後身頃５３及び股間部５６を形成し、前身頃５２の左右縁５７ａ１、５７ｂ１と後身頃５３の左右縁５７ａ２、５７ｂ２を互いに合掌状に接合して、おむつ５１の左右に接合部５８ａ、５８ｂを形成し、第９図に示されるようなおむつ５１を形成する。おむつ５１は、人がおむつを脱着するために、腰開口部５４、左右脚開口部５５ａ、５５ｂを備え、身体へのフィット性向上、尿等の漏れ防止のために、それらの周囲方向に複数本の弾性部材が配設される。腰開口部５４に複数本、前身頃５２及び後身頃５３にそれぞれ複数本、左右の脚開口部５５ａ、５５ｂ周縁と股間部５６にかけて複数本配設され、これらにより、腰周り、胴回り、脚回りにそれぞれウェストギャザー７０、ボディギャザー７１及び左右レッグギャザー５９ａ、５９ｂが形成される。上記左右レッグギャザー５９ａ、５９ｂに着目すると、左右の脚開口部周縁と股間部にかけて複数本配設される弾性部材は、第１及び第２の脚回り弾性部材６５ａ、６５ｂから成っており、おむつを展開した状態において、第１脚回り弾性部材６５ａは、前身頃５２の左縁５７ａ１から、左脚開口部の前側縁６６ａ１に沿い、股間部５６中央を経由して、右脚開口部の前側縁６６ｂ１に沿って、前身頃５２の右縁５７ｂ１まで配設され、他方、第２脚回り弾性部材６５ｂも、後身頃５３の左縁５７ｂ２から、左脚開口部の後側縁６６ａ２に沿い、股間部５６の中央を経由して、右脚開口部の後側縁６６ｂ２に沿って、後身頃５３の後側縁５７ｂ２まで配設される。この場合において、第１０図におけるパンツ型おむつの展開図は、第１脚回り弾性部材６５ａと第２脚回り弾性部材６５ｂを股間部の２箇所において交差させた脚回り弾性部材の配設形態を図示しており、第１２図におけるパンツ型おむつの展開図は、別の従来技術として、第１脚回り弾性部材６５ａと第２脚回り弾性部材６５ｂを股間部において交差はさせないが、互いに最も近接させる脚回り弾性部材の配設形態を図示している。前者のような脚回り弾性部材の配設形態を持つおむつの底面図が第１１図であり、後者のような脚回り弾性部材の配設形態を持つおむつの底面図が第１３図である。
これらの脚回り弾性部材の配設形態は、脚回りにおいて、人の太股と脚開口部周縁の間に隙間ができないようにするため、脚開口部周縁に沿って脚回り弾性部材を配設するべく、おむつを展開した状態において、脚回り弾性部材が、脚開口部５５ａ、５５ｂの側縁に沿い、股間部５６中央を経由して配設されている。また、股間部５６が身体から離れ、隙間を作らないようにするために、おむつを展開した状態において、第１及び第２脚回り弾性部材６５ａ、６５ｂを、股間部５６中央において、交差するか最も近接させることによって、脚回り弾性部材の伸縮力を使用して、吸収体を着用者の肌側へ押圧している。つまり、前後身頃５２、５３を左右縁５７ａ１、５７ａ２、５７ｂ１、５７ｂ２で互いに接合しておむつとした状態では、第１脚回り弾性部材６５ａが左右の脚開口部５５ａ、５５ｂを、曲線Ｐ’に示すようにリング状に取り囲み、他方、第２脚回り弾性部材６５ｂも左右の脚開口部５５ａ、５５ｂを、曲線Ｐ’に示すようにリング状に取り囲んでいる。即ち、第１及び第２脚回り弾性部材の左右が、各々独立して脚開口部をリング状に取り囲んでいる。
そして、第９図には、吸収体６３の左側縁６２ａと第１脚回り弾性部材６５ａとの接触点６７を通る仮想水平線Ａ’並びに、当該接触点６７と、第１脚回り弾性部材６５ａと前身頃５２の左縁５７ａ１との交点６８を結ぶ仮想直線Ｃ’が示されているが、上記の結果として、第９図に図示される従来のおむつにおける仮想水平線Ａ’に対する仮想直線Ｃ’の角度Ｚは、多くの場合、４５度以上に設定されることになる。なお、このことは、上記のようなおむつの左脚側だけでなくおむつの右脚側でも同様である。
更に、以上のような弾性部材の配設形態だけでなく、特開平６−３２７７１６号公報や特開２００３−１０２７８０号公報に開示されているように、第１及び第２脚回り弾性部材が、脚開口部周縁に沿って配設されるが股間部中央には配設されないものもあるが、これらにおいても、第１及び第２脚回り弾性部材の左右が、各々独立して左右の脚開口部周縁をリング状に取り囲んでいる。
これら従来のおむつには、以下のような問題点があった。即ち、
（１）股間部において、第１及び第２脚回り弾性部材が、各脚開口部を取り囲んでリング状となっていることにより、左右脚開口部におけるリング状の間に吸収体が挟まれて紐状又は帯状になりやすく、また、上記角度Ｚが４５度以上であるので、リング状となっている弾性部材の収縮力が吸収体に付加されると、吸収体を縦に伸ばそうとするため、吸収体を紐状又は帯状に収縮させる傾向にあり、着用者に不快感を与えると共に、脚開口部周縁と太股との間に隙間が出来てしまい、排泄物が横漏れを起こしてしまうことがあった。また、そのために、吸収体による安定した吸収が困難となってしまうことがあった。
（２）左右の脚開口部がそれぞれリング状に縮むため、脱着時に足の出し入れがしにくいことがあった。即ち、従来技術では、左右脚開口部がそれぞれにリング状に縮むので、おむつの脱着時において脚開口部の縮みを広げる際には、片手ではなく両手でおむつを左右に押し広げる必要があり、そのため、おむつを装着する時の足入れの際に、片足ずつ入れなければ足が引っかかりやすく非常に履きづらかった。このことは、特に、片手が不自由な老人等にとっておむつの履き替えを困難にさせるものであった。
（３）左右の脚開口部がそれぞれリング状となるため、着用時には太股が締め付けられ、弾性部材の締め付けた跡がつく等したり、血行に良くないことがあった。
従って、本発明は、以上のような問題点を同時に解決し、おむつを装着した際の左右脚回りに関して、装着感に優れ、脱着が容易で、防漏性の高く、安定した吸収性を有するトランクス型のおむつを提供することを目的とする。
【発明の開示】
【０００３】
本発明に係るトランクス型おむつは、外装シート及び吸収体からなり、前身頃、後身頃、股間部、腰開口部及び左右の脚開口部が形成されているトランクス型おむつであって、左右の脚開口部周縁には、脚回り弾性部材が配設されることによって、左右のレッグギャザーが形成されているトランクス型おむつにおいて、上記脚回り弾性部材は、第１及び第２脚回り弾性部材から成り、上記前身頃の左右縁と上記後身頃の左右縁との接合を解いておむつを展開した状態において、上記第１脚回り弾性部材は、前身頃の左縁から股間部前縁を経由して前身頃の右縁まで、ほぼ直線状に配設され、上記第２脚回り弾性部材も、後身頃の左縁から股間部後縁を経由して後身頃の右縁まで、ほぼ直線状に配設されて成り、上記前身頃の左右縁と上記後身頃の左右縁を接合してトランクス型おむつとした状態のおむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が、０乃至３０度の範囲に設定されていることを第１の特徴とする。
そして、上記前身頃の左右縁と上記後身頃の左右縁との接合を解いておむつを展開した状態において、上記第１脚回り弾性部材は、前身頃の左縁から股間部前縁を経由して前身頃の右縁まで、直線状に配設され、上記第２脚回り弾性部材も、後身頃の左縁から股間部後縁を経由して後身頃の右縁まで、直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が０度に設定されていることを第２の特徴とする。
また、上記前身頃の左右縁と上記後身頃の左右縁との接合を解いておむつを展開した状態において、上記第１脚回り弾性部材の左部は前身頃の左縁から吸収体の左側縁を越える所まで、上記第１脚回り弾性部材の右部は前身頃の右縁から吸収体の右側縁を越える所まで、幅方向に沿ってほぼ直線状に配設され、上記第２脚回り弾性部材の左部は後身頃の左縁から吸収体の左側縁を越える所まで、上記第２脚回り弾性部材の右部は後身頃の右縁から吸収体の右側縁を越える所まで、幅方向に沿ってほぼ直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が、０乃至３０度の範囲に設定されていることを第３の特徴とする。
更に、上記前身頃の左右縁と上記後身頃の左右縁との接合を解いておむつを展開した状態において、上記第１脚回り弾性部材の左部は前身頃の左縁から吸収体の左側縁を越える所まで、上記第１脚回り弾性部材の右部は前身頃の右縁から吸収体の右側縁を越える所まで、幅方向に沿って直線状に配設され、上記第２脚回り弾性部材の左部は後身頃の左縁から吸収体の左側縁を越える所まで、上記第２脚回り弾性部材の右部は後身頃の右縁から吸収体の右側縁を越える所まで、幅方向に沿って直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が０度に設定されていることを第４の特徴とする。
以上のように構成することによって、股間部において、第１及び第２脚回り弾性部材が、左右双方の脚開口部を取り囲んで全体としてラウンド状となり、吸収体を幅方向に広げようとしていること及び、上記角度が３０度以下となるので、脚回り弾性部材の収縮力が吸収体を幅方向に拡げようとしていることから、吸収体が紐状又は帯状になることを防ぎ、着用者に不快感を取り除くと共に、脚開口部周縁と太股との間の隙間を防ぎ、排泄物が横漏れを起こすことを防止できる。
また、左右の脚開口部が一対としてラウンド状に囲まれるため、脱着時に足の出し入れがしにくいという問題点が改善される。即ち、左右の脚開口部が一対としてラウンド状に囲まれているため、両腕でおむつを左右に開くことにより左右の脚開口部が連動して広がることから、従来技術とは異なり、おむつ装着の際に片足ずつおむつに入れるという手間を省くことができる。換言すると、左右の脚開口部をそれぞれリング状に縮まる従来のおむつでは、両手でおむつを左右に開かなければ、おむつ装着の際に必要である脚を通す開口を作り出すことができないが、本発明に係るおむつによれば、上記構成により、おむつの一部、例えば、レッグギャザーや吸収体の一部を固定することによって片手で脚を通す開口を得ることができる。このことは、片手が不自由な老人等にとっておむつの履き替えを大幅に改善できることを意味し、おむつを一人で自立装着できる機会が広がるという効果が生まれる。
更に、左右の脚開口部が一対としてラウンド状となるため、着用時には太股が締め付けられることがなく、弾性部材の締め付けた跡がつく等することがなく、太股の血行にも良い。
【図面の簡単な説明】
【０００４】
第１図は、本発明に係るトランクス型おむつの第１実施例の正面図である。第２図は、第１実施例のトランクス型おむつの展開図である。第３図は、第１実施例における底面図である。第４図は、本発明に係るトランクス型おむつの第２実施例の正面図である。第５図は、第２実施例のトランクス型おむつの展開図である。第６図は、本発明に係るトランクス型おむつの第３実施例の展開図である。第７図は、本発明に係るトランクス型おむつの第４実施例の展開図である。第８図は、第６図に示されるトランクス型おむつの底面図である。第９図は、従来技術のおむつの正面図である。第１０図は、第９図で示した従来技術のおむつの展開図である。第１１図は、第９図で示した従来技術のおむつの底面図である。第１２図は、別の従来技術のおむつの展開図である。第１３図は、第１２図で示した別の従来技術のおむつの底面図である。
【発明を実施するための最良の形態】
【０００５】
本発明の実施形態を第１図乃至第８図に従って説明する。
まず、本発明の第１実施例を第１図乃至第３図に従って説明する。トランクス型のおむつ１は、外装シート１１と、吸収体１２と、腰回り弾性部材１４ａ１、１４ａ２、胴回り弾性部材１４ｂ１、１４ｂ２、第１及び第２の脚回り弾性部材１５ａ、１５ｂとから成る。上記吸収体１２は、外装シート１１の内側面に配置され、不織布と伸縮性素材で構成された立体ギャザー１３が側縁に設けられ、吸収紙、綿状パルプ、高分子吸水材などの組み合わせで構成されている。外装シート１１の左右端には、左右脚開口部５ａ、５ｂを形成するための左湾入部１０ａ及び右湾入部１０ｂが設けられている。更に、本実施例におけるトランクス型おむつは、第２図に示されるように、前身頃２の左縁７ａ１又は右縁７ｂ１と後身頃３の左縁７ａ２又は右縁７ｂ２の対向端同士の間の距離Ｌが３０ｃｍ以下であり、好ましくは、２０ｃｍ以下のものである。
トランクス型おむつは、第２図に示されるようなおむつを展開した状態から、おむつを二つ折りにして、前身頃２、後身頃３及び股間部６を形成し、第１図に示されるように、前身頃２の左右縁７ａ１、７ｂ１と後身頃３の左右縁７ａ２、７ｂ２を互いに合掌状に接合して、おむつ１の左右に接合部８ａ、８ｂを形成することによって構成される。上記おむつ１は、人がおむつを脱着するために、腰開口部４、左右脚開口部５ａ、５ｂを備えている。このおむつ１を正面から捉えた図が第１図である。
おむつ１には、おむつの身体へのフィット性を高め、尿等の漏れを防止するために弾性部材が配設される。本実施例では、複数本の天然ゴム糸、合成ゴム糸や、伸縮性の不織布や伸縮性のフィルム等が弾性部材として全面的若しくは部分的に配設される。腰開口部４周縁に複数本、前身頃２及び後身頃３にそれぞれ複数本、左右の脚開口部５ａ、５ｂ周縁と股間部６にかけて複数本、それぞれの周囲方向に沿って配設される。第１図乃至第３図では、腰開口部周縁に、例えば３本、前身頃及び後身頃に、例えばそれぞれ３本、左右の脚開口部周縁と股間部にかけて、例えば３本配設されているが、勿論、身体への装着感や防漏性を考慮して本数は任意でよい。特に、ボディギャザー２１を形成している前身頃及び後身頃に配設される弾性部材は、図面を簡潔に示すために本数を少なくしているので、実際にはもっと多く配設される場合がある。これらの弾性部材により、腰周り、胴回り及び脚回りにそれぞれ、周囲方向に沿って、ウェストギャザー２０、ボディギャザー２１と、左右レッグギャザー９ａ、９ｂが形成される。
上記左右レッグギャザー９ａ、９ｂに着目して更に説明すると、左右の脚開口部５ａ、５ｂと股間部６にかけて複数本配設される弾性部材は、第１及び第２の脚回り弾性部材１５ａ、１５ｂから成る。おむつの前身頃２の左右縁７ａ１、７ｂ１と後身頃３の左右縁７ａ２、７ｂ２との接合を解き、第２図に示す如くおむつを展開した状態において、第１脚回り弾性部材１５ａは、前身頃２の左縁７ａ１から股間部６前縁を経由して前身頃２の右縁７ｂ１まで、ほぼ直線状に配設され、他方、第２脚回り弾性部材１５ｂも、後身頃３の左縁７ａ２から股間部６後縁を経由して後身頃３の右縁７ｂ２まで、ほぼ直線状に配設される。従来技術に係る脚回り弾性部材とは異なり、左右脚開口部の前後側縁に沿って、股間部中央を経由して配設されるというものではない。
本発明に係る第１実施例では、第２図に示し、上記したように、おむつを展開した状態において、上記第１及び第２脚回り弾性部材１５ａ、１５ｂが、おむつの幅方向に沿って、ほぼ直線状に配設される。この弾性部材の配設形態を底面から見ると、第３図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。
以上に対して、従来技術に係るおむつにおいては、上記したように、脚回り弾性部材を脚開口部５４周縁に沿って配設し、股間部５６中央を経由する配設形態を取っているため、左右のレッグギャザー５９ａ、５９ｂが、矢印Ｐ’に図示されるように、左右の脚開口部５５ａ、５５ｂ周縁を別々にリング状に囲んで、太股と脚開口部５５ａ、５５ｂ周縁を密着させている。
第１図に従って更に説明すると、吸収体１２の左側縁１２ａと第１脚回り弾性部材１５ａとの接触点１７を通る仮想水平線Ａ並びに、当該接触点１７と、第１脚回り弾性部材１５ａ及び前身頃２の左縁７ａ１の交点１８を結ぶ仮想直線Ｃが示されているが、上記の結果として、第１図に図示される第１実施例における仮想水平線Ａに対する仮想直線Ｃの角度Ｘは３０度以下、好ましくは、２０度以下に設定される。上述したように、従来技術に係るおむつの仮想水平線Ａ’に対する仮想直線Ｃ’の角度は４５度以上であるから、それに比して角度が小さい。このことは、吸収体の右側縁１２ｂと第１脚回り弾性部材１５ａとの接触点を通る仮想水平線Ａに対する、当該接触点と第１脚回り弾性部材１５ａ及び前身頃の右縁７ｂ１の交点を結ぶ仮想直線の角度においても同様である。
次に、第２実施例について、第１実施例と異なる箇所を、第４図及び第５図に従って説明する。第１実施例と同一の箇所に関しては、第１実施例の説明と同様であるから、第１実施例と同一の符号を付して、説明を省略する。
第２実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成る。おむつの前身頃２の左右縁７ａ１、７ｂ１と後身頃３の左右縁７ａ２、７ｂ２との接合を解き、第５図に示す如くおむつを展開した状態において、第１脚回り弾性部材１５ａは、前身頃２の左縁７ａ１から股間部６前縁を経由して前身頃２の右縁７ｂ１まで、直線状に配設され、他方、第２脚回り弾性部材１５ｂも、後身頃３の左縁７ａ２から股間部６後縁を経由して後身頃３の右縁７ｂ２まで、直線状に配設される。従来技術に係る脚回り弾性部材とは異なり、左右脚開口部の前後側縁に沿って、股間部中央を経由して配設されるというものではない。
本発明に係る第２の実施例では、第５図に示しているように、おむつを展開した状態において、上記第１及び第２脚回り弾性部材１５ａ、１５ｂが、おむつの幅方向に沿って、直線状に配設されており、第１脚回り弾性部材１５ａと第２脚回り弾性部材１５ｂは、平行に配設される。この弾性部材の配設形態を底面から見ると、第３図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。なお、第３図は第１実施例におけるおむつの底面図ではあるが、第２実施例の底面もほぼ同様であるから、この段落では、第３図を流用して第２実施例を説明している。
第４図において更に説明すると、吸収体１２の左側縁１２ａと第１脚回り弾性部材１５ａとの接触点１７を通る仮想水平線Ａ並びに、当該接触点１７と、第１脚回り弾性部材１５ａ及び前身頃２の左縁７ａ１の交点１８を結ぶ仮想直線Ｃが示されているが、上記の結果として、第４図に図示される第２実施例における仮想水平線Ａに対する仮想直線Ｃの角度は０度に設定される（つまり仮想直線Ｃは水平に設定される。）。上述したように、従来技術に係るおむつの仮想水平線Ａ’に対する仮想直線Ｃ’の角度は４５度以上であるから、それに比して角度が小さい。このことは、吸収体の右側縁１２ｂと第１脚回り弾性部材１５ａとの接触点を通る仮想水平線Ａに対する、当該接触点と第１脚回り弾性部材１５ａ及び前身頃の右縁７ｂ１の交点を結ぶ仮想直線の角度においても同様である。
第３に、第３実施例について、第１実施例と異なる箇所を、第６図及び第８図に従って説明する。第１実施例と同一の箇所に関しては、第１実施例での説明と同様であるから、第１実施例と同一の符号を付して、説明を省略する。
第３実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成り、第１脚回り弾性部材１５ａは、第１脚回り弾性部材左部１５ａ１と右部１５ａ２から構成され、第２脚回り弾性耶材１５ｂは、第２脚回り弾性部材左部１５ｂ１と右部１５ｂ２から構成される。おむつの前身頃２の左右縁７ａ１、７ｂ１と後身頃３の左右縁７ａ２、７ｂ２との接合を解き、第６図に示す如くおむつを展開した状態において、第１脚回り弾性部材左部１５ａ１は、前身頃２の左縁７ａ１から吸収体１２の左側縁１２ａを越える所まで配設され、第１脚回り弾性部材右部１５ａ２は、前身頃２の右縁７ｂ１から吸収体の右側縁１２ｂを越える所まで配設され、第１脚回り弾性部材１５ａは、幅方向に沿ってほぼ直線状に配設されることとなる。第２脚回り弾性部材左部１５ｂ１は、後身頃３の左縁７ａ２から吸収体の左側縁１２ａを越える所まで配設され、第２脚回り弾性部材右部１５ｂ２は、後身頃３の右縁７ｂ２から吸収体の右側縁１２ｂを越える所まで配設され、第２脚回り弾性部材１５ｂは、幅方向に沿ってほぼ直線状に配設されることとなる。
本発明に係る第３の実施例では、第６図に示しているように、おむつを展開した状態において、上記第１脚回り弾性部材左部１５ａ１及び右部１５ａ２並びに、上記第２脚回り弾性部材左部１５ｂ１及び右部１５ｂ２が、おむつの幅方向に沿って、ほぼ直線状に配設される。この弾性部材の配設形態を底面から見ると、第８図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。
第８図に示されるように、第３実施例においては、第１実施例とは異なり、第１脚回り弾性部材の左右部１５ａ１、１５ａ２が連続した弾性部材ではなく、股間部６前縁にて断絶しており、第２脚回り弾性部材の左右部１５ｂ１、１５ｂ２が連続した弾性部材ではなく、股間部６後縁にて断絶している。しかし、第６図に図示されているように、おむつを展開した状態において、第１脚回り弾性部材左部１５ａ１は前身頃２の左縁７ａ１から吸収体１２の左側縁１２ａを越える所まで配設され、第１脚回り弾性部材右部１５ａ２は前身頃２の右縁７ｂ１から吸収体の右側縁１２ｂを越える所まで配設され、第２脚回り弾性部材左部１５ｂ１は後身頃３の左縁７ａ２から吸収体の左側縁１２ａを越える所まで配設され、第２脚回り弾性部材右部１５ｂ２は後身頃３の右縁７ｂ２から吸収体の右側縁１２ｂを越える所まで配設される。従って、脚回り弾性部材１５ａ、１５ｂが、吸収体１２と外装シート１１との接合領域の一部に掛かることとなり、第１実施例と同様に、第１脚回り弾性部材の左右部１５ａ１、１５ａ２と第２脚回り弾性部材の左右部１５ｂ１、１５ｂ２が、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえることになる。
第４に、第４実施例について、第２実施例と異なる箇所を、第７図に従って説明する。第２実施例と同一の箇所に関しては、第２実施例での説明と同様であるから、第２実施例と同一の符号を付して、説明を省略する。
第４実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成り、第１脚回り弾性部材１５ａは、第１脚回り弾性部材左部１５ａ１と右部１５ａ２から構成され、第２脚回り弾性部材１５ｂは、第２脚回り弾性部材左部１５ｂ１と右部１５ｂ２から構成される。おむつの前身頃２の左右縁７ａ１、７ｂ１と後身頃３の左右縁７ａ２、７ｂ２との接合を解き、第７図に示す如くおむつを展開した状態において、第１脚回り弾性部材左部１５ａ１は、前身頃２の左縁７ａ１から吸収体１２の左側縁１２ａを越える所まで配設され、第１脚回り弾性部材右部１５ａ２は、前身頃２の右縁７ｂ１から吸収体の右側縁１２ｂを越える所まで配設され、第１脚回り弾性部材１５ａは、幅方向に沿って直線状に配設されることとなる。第２脚回り弾性部材左部１５ｂ１は、後身頃３の左縁７ａ２から吸収体の左側縁１２ａを越える所まで配設され、第２脚回り弾性部材右部１５ｂ２は、後身頃３の右縁７ｂ２から吸収体の右側縁１２ｂを越える所まで配設され、第２脚回り弾性部材１５ｂは、幅方向に沿って直線状に配設されることとなる。
本発明に係る第４の実施例では、第７図に示しているように、おむつを展開した状態において、上記第１脚回り弾性部材左部１５ａ１及び右部１５ａ２並びに、上記第２脚回り弾性部材左部１５ｂ１及び右部１５ｂ２が、おむつの幅方向に沿って、直線状に配設される。この弾性部材の配設形態を底面から見ると、第８図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。なお、第８図は第３実施例の底面図であるが、第４実施例の底面も第８図とほぼ同様に表される。
第４実施例においては、第２実施例とは異なり、第１脚回り弾性部材の左右部１５ａ１、１５ａ２が連続した弾性部材ではなく、股間部６前縁にて断絶しており、第２脚回り弾性部材の左右部１５ｂ１、１５ｂ２が連続した弾性部材ではなく、股間部６後縁にて断絶している。しかし、第７図に図示されているように、おむつを展開した状態において、第１脚回り弾性部材左部１５ａ１は前身頃２の左縁７ａ１から吸収体１２の左側縁１２ａを越える所まで配設され、第１脚回り弾性部材右部１５ａ２は前身頃２の右縁７ｂ１から吸収体の右側縁１２ｂを越える所まで配設され、第２脚回り弾性部材左部１５ｂ１は後身頃３の左縁７ａ２から吸収体の左側縁１２ａを越える所まで配設され、第２脚回り弾性部材右部１５ｂ２は後身頃３の右縁７ｂ２から吸収体の右側縁１２ｂを越える所まで配設される。従って、脚回り弾性部材１５ａ、１５ｂが、吸収体１２と外装シート１１との接合領域の一部に掛かることとなり、第２実施例と同様に、第１脚回り弾性部材の左右部１５ａ１、１５ａ２と第２脚回り弾性部材の左右部１５ｂ１、１５ｂ２が、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえることになる。
以上の第１乃至第４実施例のようにトランクス型おむつを構成することによって、左右のレッグギャザー９ａ、９ｂが、左右双方の脚開口部５ａ、５ｂを一対として、一つのラウンド状として囲んで両脚を押さえることが可能になり、吸収体を幅方向に広げる力が働く。また、脚回り弾性部材１５ａ、１５ｂの収縮力は、上記仮想直線Ｃに沿って作用するところ、上記仮想水平線Ａに対する上記仮想直線Ｃの角度は従来に比して小さいため、上記仮想直線Ｃに沿って作用する収縮力の分力である水平方向の力Ｍ、換言すると、脚回り弾性部材１５ａ、１５ｂの収縮力により生じる上記接触点１７を基点としておむつの側方に向かう水平方向の力Ｍが強くなり、それに応じて吸収体１２が幅方向に広がる力が強くなるので、吸収体１２が紐状又は帯状になりにくいと共に、股間部６における左右の脚開口部５ａ、５ｂ周縁と太股との隙間が生じるのを防ぐ効果が従来より高くなる。また、左右の脚開口部が一対としてラウンド状に囲まれるため、脱着時に足の出し入れがしにくいという問題点が改善される。即ち、左右の脚開口部が一対としてラウンド状に囲まれているため、両腕でおむつを左右に開くことにより左右の脚開口部が連動して広がることから、従来技術とは異なり、おむつ装着の際に片足ずつおむつに入れるという手間を省くことができる。換言すると、左右の脚開口部をそれぞれリング状に縮まる従来のおむつでは、両手でおむつを左右に開かなければ、おむつ装着の際に必要である脚を通す開口を作り出すことができないが、本発明に係るおむつによれば、上記構成により、おむつの一部、例えば、レッグギャザーや吸収体の一部を固定することによって片手で脚を通す開口を得ることができる。このことは、片手が不自由な老人等にとっておむつの履き替えを大幅に改善できることを意味し、おむつを一人で自立装着できる機会が広がるという効果が生まれる。更に、左右の脚開口部が一対としてラウンド状となるため、着用時には太股が締め付けられることがなく、弾性部材の締め付けた跡がつく等することがなく、太股の血行にも良い。
【産業上の利用可能性】
【０００６】
以上のように、本発明に係るトランクス型おむつは、左右の脚回りに関して、良好な着用感、排泄物の安定した吸収性及び高い防漏性を備えているので、乳幼児、失禁者又は成人用のトランクス型おむつとして有用である。
【図１】
2009081505.tif 000003
【図２】
2009081505.tif 000004
【図３】
2009081505.tif 000005
【図４】
2009081505.tif 000006
【図５】
2009081505.tif 000007
【図６】
2009081505.tif 000008
【図７】
2009081505.tif 000009
【図８】
2009081505.tif 000010
【図９】
2009081505.tif 000011
【図１０】
2009081505.tif 000012
【図１１】
2009081505.tif 000013
【図１２】
2009081505.tif 000014
【図１３】
2009081505.tif 000015
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
外装シート（１１）及び前記外装シート（１１）の内側面に配置され、左右の側縁に不織布と伸縮性素材で構成された立体ギャザー（１３）が設けられた吸収体（１２）からなり、前身頃（２）、後身頃（３）、股間部（６）、腰開口部（４）及び左右の脚開口部（５ａ、５ｂ）が形成されているトランクス型おむつであって、
前記左右の脚開口部（５ａ、５ｂ）周縁には、脚回り弾性部材が配設されることによって、左右のレッグギャザー（９ａ、９ｂ）が形成され、更に前記左右の脚開口部（５ａ、５ｂ）が前記脚回り弾性部材と、前記脚回り弾性部材と交差する前記吸収体の立体ギャザー（１３）によって囲まれたトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材（１５ａ）は、前身頃の左縁（７ａ１）から前記吸収体の左側の立体ギャザー（１３）を越えて股間部（６）前縁を経由し、更に前記吸収体の右側の立体ギャザー（１３）を越えて前身頃の右縁（７ｂ１）まで、ほぼ直線状に配設され、上記第２脚回り弾性部材（１５ｂ）も、後身頃の左縁（７ａ２）から前記吸収体の左側の立体ギャザー（１３）を越えて股間部（６）後縁を経由し、更に前記吸収体の右側の立体ギャザー（１３）を越えて後身頃の右縁（７ｂ２）まで、ほぼ直線状に配設されて成り、
上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が、０乃至３０度の範囲に設定されていることを特徴とするトランクス型おむつ。
【請求項２】
外装シート（１１）及び前記外装シート（１１）の内側面に配置され、左右の側縁に不織布と伸縮性素材で構成された立体ギャザー（１３）が設けられた吸収体（１２）からなり、前身頃（２）、後身頃（３）、股間部（６）、腰開口部（４）及び左右の脚開口部（５ａ、５ｂ）が形成されているトランクス型おむつであって、
前記左右の脚開口部（５ａ、５ｂ）周縁には、脚回り弾性部材が配設されることによって、左右のレッグギャザー（９ａ、９ｂ）が形成され、更に前記左右の脚開口部（５ａ、５ｂ）が前記脚回り弾性部材と、前記脚回り弾性部材と交差する前記吸収体の立体ギャザー（１３）によって囲まれたトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材（１５ａ）は、前身頃の左縁（７ａ１）から前記吸収体の左側の立体ギャザー（１３）を越えて股間部（６）前縁を経由し、更に前記吸収体の右側の立体ギャザー（１３）を越えて前身頃の右縁（７ｂ１）まで、直線状に配設され、上記第２脚回り弾性部材（１５ｂ）も、後身頃の左縁（７ａ２）から前記吸収体の左側の立体ギャザー（１３）を越えて股間部（６）後縁を経由し、更に前記吸収体の右側の立体ギャザー（１３）を越えて後身頃の右縁（７ｂ２）まで、直線状に配設されて成り、
上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が０度に設定されていることを特徴とするトランクス型おむつ。
【請求項３】
外装シート（１１）及び前記外装シート（１１）の内側面に配置され、左右の側縁に不織布と伸縮性素材で構成された立体ギャザー（１３）が設けられた吸収体（１２）からなり、前身頃（２）、後身頃（３）、股間部（６）、腰開口部（４）及び左右の脚開口部（５ａ、５ｂ）が形成されているトランクス型おむつであって、
前記左右の脚開口部（５ａ、５ｂ）周縁には、脚回り弾性部材が配設されることによって、左右のレッグギャザー（９ａ、９ｂ）が形成され、更に前記左右の脚開口部（５ａ、５ｂ）が前記脚回り弾性部材と、前記脚回り弾性部材と交差する前記吸収体の立体ギャザー（１３）によって囲まれたトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、上記第１脚回り弾性部材の左部（１５ａ１）は前身頃（２）の左縁（７ａ１）から吸収体（１２）の左側縁（１２ａ）の立体ギャザー（１３）を越える所まで、上記第１脚回り弾性部材の右部（１５ａ２）は前身頃（２）の右縁（７ｂ１）から吸収体の右側縁（１２ｂ）の立体ギャザー（１３）を越える所まで、幅方向に沿ってほぼ直線状に配設され、上記第２脚回り弾性部材の左部（１５ｂ１）は後身頃（３〉の左縁（７ａ２）から吸収体の左側縁（１２ａ）の立体ギャザー（１３）を越える所まで、上記第２脚回り弾性部材の右部（１５ｂ２）は後身頃（３）の右縁（７ｂ２）から吸収体の右側縁（１２ｂ）の立体ギャザー（１３）を越える所まで、幅方向に沿ってほぼ直線状に配設されて成り、
上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ、１２ｂ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が、０乃至３０度の範囲に設定されていることを特徴とするトランクス型おむつ。
【請求項４】
外装シート（１１）及び前記外装シート（１１）の内側面に配置され、左右の側縁に不織布と伸縮性素材で構成された立体ギャザー（１３）が設けられた吸収体（１２）からなり、前身頃（２）、後身頃（３）、股間部（６）、腰開口部（４）及び左右の脚開口部（５ａ、５ｂ）が形成されているトランクス型おむつであって、
前記左右の脚開口部（５ａ、５ｂ）周縁には、脚回り弾性部材が配設されることによって、左右のレッグギャザー（９ａ、９ｂ）が形成され、更に前記左右の脚開口部（５ａ、５ｂ）が前記脚回り弾性部材と、前記脚回り弾性部材と交差する前記吸収体の立体ギャザー（１３）によって囲まれたトランクス型おむつにおいて、
上記脚回り弾性部材は、第１及び第２脚回り弾性部材（１５ａ、１５ｂ）から成り、上記前身頃（２）の左右縁（７ａ１、７ｂ１）と上記後身頃（３）の左右縁（７ａ２、７ｂ２）との接合を解いておむつを展開した状態において、
上記第１脚回り弾性部材の左部（１５ａ１）は前身頃（２）の左縁（７ａ１）から吸収体（１２）の左側縁（１２ａ）の立体ギャザー（１３）を越える所まで、上記第１脚回り弾性部材の右部（１５ａ２）は前身頃（２）の右縁（７ｂ１）から吸収体の右側縁（１２ｂ）の立体ギャザー（１３）を越える所まで、幅方向に沿って直線状に配設され、上記第２脚回り弾性部材の左部（１５ｂ１）は後身頃（３）の左縁（７ａ２）から吸収体の左側縁（１２ａ）の立体ギャザー（１３）を越える所まで、上記第２脚回り弾性部材の右部（１５ｂ２）は後身頃（３）の右縁（７ｂ２）から吸収体の右側縁（１２ｂ）の立体ギャザー（１３）を越える所まで、幅方向に沿って直線状に配設されて成り、
上記前身頃（２）の左右縁（７ａ１、７ｂ１）と上記後身頃（３）の左右縁（７ａ２、７ｂ２）を接合してトランクス型おむつとした状態での当該おむつの底面において、上記第１及び第２脚回り弾性部材が、左右脚開口部（５ａ、５ｂ）を一対として囲んだ状態で配設され、上記吸収体の左又は右の側縁（１２ａ、１２ｂ）と上記第１脚回り弾性部材（１５ａ）との接触点（１７）を通る仮想水平線（Ａ）に対して、当該接触点（１７）と、上記第１脚回り弾性部材（１５ａ）及び前身頃の左又は右の縁（７ａ１、７ｂ１）の交点（１８）を結ぶ仮想直線（Ｃ）の角度（Ｘ）が０度に設定されていることを特徴とするトランクス型おむつ。
【手続補正２】
【補正対象書類名】明細書
【補正対象項目名】全文
【補正方法】変更
【補正の内容】
【発明の詳細な説明】
【技術分野】
【０００１】
本発明は、トランクス型おむつに関し、詳細には、おむつを装着した際の左右の脚回りに関して、装着感が良好であり、高い防漏生を有し、かつ、安定した吸収性を有するトランクス型おむつに関する。
【背景技術】
【０００２】
トランクス型のおむつは、幼児、成年失禁者や老人等に広く用いられている。このようなトランクス型のおむつは、良好な着用感、排泄物の安定した吸収性や高い防漏性を備えていることが望ましい。その為に、現在様々な改良がなされているが、その一つに、脚開口部周縁に弾性部材を配設して、レッグギャザーとすることによって、排泄物の横漏れを防止するおむつが提案されている。
【０００３】
このレッグギャザーとするための弾性部材の配設形態は種々提案されており、例えば、特開平３−２８０９５１公報又は特開平３−１８６２６３公報に開示されているように、第１及び第２の脚回りの弾性部材を、股間部において２箇所で交差させて配設させるものや、実用新案登録第３０２４３５７号公報に開示されているように、第１及び第２の弾性糸を、股間部において交差はさせないが、互いに最も近接させて配設するもの等がある。
【０００４】
更により具体的に、上記第１及び第２脚回り弾性部材を股間部において２箇所で交差させたものを第９図乃至第１１図で示し、互いに最も近接させたものを第９図、第１２図及び第１３図に示す。これらの図に従って説明すると、おむつ５１は、外装シート６１と、外装シート６１の内側面に設けられ、立体ギャザー６３が側縁に設けられた吸収体６２、腰周り弾性部材６４ａ１、６４ａ２、胴周り弾性部材６４ｂ１、６４ｂ２、第１及び第２の脚回り弾性部材６５ａ、６５ｂから成る。そして、第１０図に示されるおむつの展開状態から、おむつを二つ折りにして、前身頃５２、後身頃５３及び股間部５６を形成し、前身頃５２の左右縁５７ａ１、５７ｂ１と後身頃５３の左右縁５７ａ２、５７ｂ２を互いに合掌状に接合して、おむつ５１の左右に接合部５８ａ、５８ｂを形成し、第９図に示されるようなおむつ５１を形成する。
【０００５】
おむつ５１は、人がおむつを脱着するために、腰開口部５４、左右脚開口部５５ａ、５５ｂを備え、身体へのフィット性向上、尿等の漏れ防止のために、それらの周囲方向に複数本の弾性部材が配設される。
腰開口部５４に複数本、前身頃５２及び後身頃５３にそれぞれ複数本、左右の脚開口部５５ａ、５５ｂ周縁と股間部５６にかけて複数本配設され、これらにより、腰周り、胴回り、脚回りにそれぞれウェストギャザー７０、ボディギャザー７１及び左右レッグギャザー５９ａ、５９ｂが形成される。
【０００６】
上記左右レッグギャザー５９ａ、５９ｂに着目すると、左右の脚開口部周縁と股間部にかけて複数本配設される弾性部材は、第１及び第２の脚回り弾性部材６５ａ、６５ｂから成っており、おむつを展開した状態において、第１脚回り弾性部材６５ａは、前身頃５２の左縁５７ａ１から、左脚開口部の前側縁６６ａ１に沿い、股間部５６中央を経由して、右脚開口部の前側縁６６ｂ１に沿って、前身頃５２の右縁５７ｂ１まで配設され、他方、第２脚回り弾性部材６５ｂも、後身頃５３の左縁５７ｂ２から、左脚開口部の後側縁６６ａ２に沿い、股間部５６の中央を経由して、右脚開口部の後側縁６６ｂ２に沿って、後身頃５３の後側縁５７ｂ２まで配設される。
【０００７】
この場合において、第１０図におけるパンツ型おむつの展開図は、第１脚回り弾性部材６５ａと第２脚回り弾性部材６５ｂを股間部の２箇所において交差させた脚回り弾性部材の配設形態を図示しており、第１２図におけるパンツ型おむつの展開図は、別の従来技術として、第１脚回り弾性部材６５ａと第２脚回り弾性部材６５ｂを股間部において交差はさせないが、互いに最も近接させる脚回り弾性部材の配設形態を図示している。前者のような脚回り弾性部材の配設形態を持つおむつの底面図が第１１図であり、後者のような脚回り弾性部材の配設形態を持つおむつの底面図が第１３図である。
【０００８】
これらの脚回り弾性部材の配設形態は、脚周りにおいて、人の太股と脚開口部周縁の間に隙間ができないようにするため、脚開口部周縁に沿って脚回り弾性部材を配設するべく、おむつを展開した状態において、脚回り弾性部材が、脚開口部５５ａ、５５ｂの側縁に沿い、股間部５６中央を経由して配設されている。
また、股間部５６が身体から離れ、隙間を作らないようにするために、おむつを展開した状態において、第１及び第２脚回り弾性部材６５ａ、６５ｂを、股間部５６中央において、交差するか最も近接させることによって、脚回り弾性部材の伸縮力を使用して、吸収体を着用者の肌側へ押圧している。
つまり、前後身頃５２、５３を左右縁５７ａ１、５７ａ２、５７ｂ１、５７ｂ２で互いに接合しておむつとした状態では、第１脚回り弾性部材６５ａが左右の脚開口部５５ａ、５５ｂを、曲線Ｐ’に示すようにリング状に取り囲み、他方、第２脚回り弾性部材６５ｂも左右の脚開口部５５ａ、５５ｂを、曲線Ｐ’に示すようにリング状に取り囲んでいる。即ち、第１及び第２脚回り弾性部材の左右が、各々独立して脚開口部をリング状に取り囲んでいる。
【０００９】
そして、第９図には、吸収体６３の左側縁６２ａと第１脚回り弾性部材６５ａとの接触点６７を通る仮想水平線Ａ’並びに、当該接触点６７と、第１脚回り弾性部材６５ａと前身頃５２の左縁５７ａ１との交点６８を結ぶ仮想直線Ｃ’が示されているが、上記の結果として、第９図に図示される従来のおむつにおける仮想水平線Ａ’に対する仮想直線Ｃ’の角度Ｚは、多くの場合、４５度以上に設定されることになる。なお、このことは、上記のようなおむつの左脚側だけでなくおむつの右脚側でも同様である。
【００１０】
更に、以上のような弾性部材の配設形態だけでなく、特開平６−３２７７１６号公報や特開２００３−１０２７８０号公報に開示されているように、第１及び第２脚回り弾性部材が、脚開口部周縁に沿って配設されるが股間部中央には配設されないものもあるが、これらにおいても、第１及び第２脚回り弾性部材の左右が、各々独立して左右の脚開口部周縁をリング状に取り囲んでいる。
【００１１】
これら従来のおむつには、以下のような問題点があった。即ち、
（１）股間部において、第１及び第２脚回り弾性部材が、各脚開口部を取り囲んでリング状となっていることにより、左右脚開口部におけるリング状の間に吸収体が挟まれて紐状又は帯状になりやすく、また、上記角度Ｚが４５度以上であるので、リング状となっている弾性部材の収縮力が吸収体に付加されると、吸収体を縦に伸ばそうとするため、吸収体を紐状又は帯状に収縮させる傾向にあり、着用者に不快感を与えると共に、脚開口部周縁と太股との間に隙間が出来てしまい、排泄物が横漏れを起こしてしまうことがあった。また、そのために、吸収体による安定した吸収が困難となってしまうことがあった。
（２）左右の脚開口部がそれぞれリング状に縮むため、脱着時に足の出し入れがしにくいことがあった。即ち、従来技術では、左右脚開口部がそれぞれにリング状に縮むので、おむつの脱着時において脚開口部の縮みを広げる際には、片手ではなく両手でおむつを左右に押し広げる必要があり、そのため、おむつを装着する時の足入れの際に、片足ずつ入れなければ足が引っかかりやすく非常に履きづらかった。このことは、特に、片手が不自由な老人等にとっておむつの履き替えを困難にさせるものであった。
（３）左右の脚開口部がそれぞれリング状となるため、着用時には太股が締め付けられ、弾性部材の締め付けた跡がつく等したり、血行に良くないことがあった。
【００１２】
従って、本発朗は、以上のような問題点を同時に解決し、おむつを装着した際の左右脚回りに関して、装着感に優れ、脱着が容易で、防漏性の高く、安定した吸収性を有するトランクス型のおむつを提供することを目的とする。
【発明の開示】
【００１３】
本発明に係るトランクス型おむつは、外装シート及び前記外装シートの内側面に配置され、左右の側縁に不織布と伸縮性素材で構成された立体ギャザーが設けられた吸収体からなり、前身頃、後身頃、股間部、腰開口部及び左右の脚開口部が形成されているトランクス型おむつであって、前記左右の脚開口部周縁には、脚回り弾性部材が配設されることによって、左右のレッグギャザーが形成され、更に前記左右の脚開口部が前記脚回り弾性部材と、前記脚回り弾性部材と交差する前記吸収体の立体ギャザーによって囲まれたトランクス型おむつにおいて、上記脚回り弾性部材は、第１及び第２脚回り弾性部材から成り、上記前身頃の左右縁と上記後身頃の左右縁との接合を解いておむつを展開した状態において、上記第１脚回り弾性部材は、前身頃の左縁から前記吸収体の左側の立体ギャザーを越えて股間部前縁を経由し、更に前記吸収体の右側の立体ギャザーを越えて前身頃の右縁まで、ほぼ直線状に配設され、上記第２脚回り弾性部材も、後身頃の左縁から前記吸収体の左側の立体ギャザーを越えて股間部後縁を経由し、更に前記吸収体の右側の立体ギャザーを越えて後身頃の右縁まで、ほぼ直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が、０乃至３０度の範囲に設定されていることを第１の特徴とする。
【００１４】
そしてまた、上記前身頃の左右縁と上記後身頃の左右縁との接合を解いておむつを展開した状態において、上記第１脚回り弾性部材は、前身頃の左縁から前記吸収体の左側の立体ギャザーを越えて股間部前縁を経由し、更に前記吸収体の右側の立体ギャザーを越えて前身頃の右縁まで、直線状に配設され、上記第２脚回り弾性部材も、後身頃の左縁から前記吸収体の左側の立体ギャザーを越えて股間部後縁を経由し、更に前記吸収体の右側の立体ギャザーを越えて後身頃の右縁まで、直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が０度に設定されていることを第２の特徴とする。
【００１５】
また、上記前身頃の左右縁と上記後身頃の左右縁との接合を解いておむつを展開した状態において、上記第１脚回り弾性部材の左部は前身頃の左縁から吸収体の左側縁の立体ギャザーを越える所まで、上記第１脚回り弾性部材の右部は前身頃の右縁から吸収体の右側縁の立体ギャザーを越える所まで、幅方向に沿ってほぼ直線状に配設され、上記第２脚回り弾性部材の左部は後身頃の左縁から吸収体の左側縁の立体ギャザーを越える所まで、上記第２脚回り弾性部材の右部は後身頃の右縁から吸収体の右側縁の立体ギャザーを越える所まで、幅方向に沿ってほぼ直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が、０乃至３０度の範囲に設定されていることを第３の特徴とする。
【００１６】
更に、上記前身頃の左右縁と上記後身頃の左右縁との接合を解いておむつを展開した状態において、上記第１脚回り弾性部材の左部は前身頃の左縁から吸収体の左側縁の立体ギャザーを越える所まで、上記第１脚回り弾性部材の右部は前身頃の右縁から吸収体の右側縁の立体ギャザーを越える所まで、幅方向に沿って直線状に配設され、上記第２脚回り弾性部材の左部は後身頃の左縁から吸収体の左側縁の立体ギャザーを越える所まで、上記第２脚回り弾性部材の右部は後身頃の右縁から吸収体の右側縁の立体ギャザーを越える所まで、幅方向に沿って直線状に配設されて成り、上記前身頃の左右縁と上記後身頃の左右縁を接合してトランクス型おむつとした状態での当該おむつの底面において、上記第１及び第２脚回り弾性部材が、左右脚開口部を一対として囲んだ状態で配設され、上記吸収体の左又は右の側縁と上記第１脚回り弾性部材との接触点を通る仮想水平線に対して、当該接触点と、上記第１脚回り弾性部材及び前身頃の左又は右の縁の交点を結ぶ仮想直線の角度が０度に設定されていることを第４の特徴とする。
【００１７】
以上のように構成することによって、股間部において、第１及び第２脚回り弾性部材が左右双方の脚開口部を取り囲んで全体としてラウンド状となり、吸収体を幅方向に広げようとしていること及び、上記角度が３０度以下となるので、脚回り弾性部材の収縮力が吸収体を幅方向に拡げようとしていることから、吸収体が紐状又は帯状になることを防ぎ、着用者に不快感を取り除くと共に、吸収体が紐状又は帯状になることによって生じる吸収力の低下を抑制することができる。また、吸収体の立体ギャザーが第１及び第２脚回り弾性部材によって持ち上げられ、前記立体ギャザーと第１及び第２脚回り弾性部材によって、脚開口部周縁と太股との間の隙間を防ぎ、排泄物が横漏れを起こすことを防止できる。
【００１８】
また、左右の脚開口部が一対としてラウンド状に囲まれるため、脱着時に足の出し入れがしにくいという問題点が改善される。即ち、左右の脚開口部が一対としてラウンド状に囲まれているため、両腕でおむつを左右に開くことにより左右の脚開口部が連動して広がることから、従来技術とは異なり、おむつ装着の際に片足ずつおむつに入れるという手間を省くことができる。換言すると、左右の脚開口部をそれぞれリング状に縮まる従来のおむつでは、両手でおむつを左右に開かなければ、おむつ装着の際に必要である脚を通す開口を作り出すことができないが、本発明に係るおむつによれば、上記構成により、おむつの一部、例えば、レッグギャザーや吸収体の一部を固定することによって片手で脚を通す開口を得ることができる。このことは、片手が不自由な老人等にとっておむつの履き替えを大幅に改善できることを意味し、おむつを一人で自立装着できる機会が広がるという効果が生まれる。
【００１９】
更に、左右の脚開口部が一対としてラウンド状となるため、着用時には太股が締め付けられることがなく、弾性部材の締め付けた跡がつく等することがなく、太股の血行にも良い。
【図面の簡単な説明】
【００２０】
【図１】第１図は、本発明に係るトランクス型おむつの第１実施例の正面図である。
【図２】第２図は、第１実施例のトランクス型おむつの展開図である。
【図３】第３図は、第１実施例における底面図である。
【図４】第４図は、本発明に係るトランクス型おむつの第２実施例の正面図である。
【図５】第５図は、第２実施例のトランクス型おむつの展開図である。
【図６】第６図は、本発明に係るトランクス型おむつの第３実施例の展開図である。
【図７】第７図は、本発明に係るトランクス型おむつの第４実施例の展開図である。
【図８】第８図は、第６図に示されるトランクス型おむつの底面図である。
【図９】第９図は、従来技術のおむつの正面図である。
【図１０】第１０図は、第９図で示した従来技術のおむつの展開図である。
【図１１】第１１図は、第９図で示した従来技術のおむつの底面図である。
【図１２】第１２図は、別の従来技術のおむつの展開図である。
【図１３】第１３図は、第１２図で示した別の従来技術のおむつの底面図である。
【発明を実施するための最良の形態】
【００２１】
本発明の実施形態を第１図乃至第８図に従って説明する。
まず、本発明の第１実施例を第１図乃至第３図に従って説明する。トランクス型のおむつ１は、外装シート１１と、吸収体１２と、腰回り弾性部材１４ａ１、１４ａ２、胴回り弾性部材１４ｂ１、１４ｂ２、第１及び第２の脚回り弾性部材１５ａ、１５ｂとから成る。
上記吸収体１２は、外装シート１１の内側面に配置され、不織布と伸縮性素材で構成された立体ギャザー１３が左右の側縁に設けられ、吸収紙、綿状パルプ、高分子吸水材などの組み合わせで構成されている。外装シート１１の左右端には、左右脚開口部５ａ、５ｂを形成するため左湾入部１０ａ及び右湾入部１０ｂが設けられている。
また、前記左右の脚開口部５ａ、５ｂは、前記脚回り弾性部材１５ａ、１５ｂと、前記脚回り弾性部材１５ａ、１５ｂと交差する前記吸収体１２の立体ギャザー１３によって囲まれている。
更に、本実施例におけるトランクス型おむつは、第２図に示されるように、前身頃２の左縁７ａ１又は右縁７ｂ１と後身頃３の左縁７ａ２又は右縁７ｂ２の対向端同士の間の距離Ｌが３０ｃｍ以下であり、好ましくは、２０ｃｍ以下のものである。
【００２２】
トランクス型おむつは、第２図に示されるようなおむつを展開した状態から、おむつを二つ折りにして、前身頃２、後身頃３及び股間部６を形成し、第１図に示されるように、前身頃２の左右縁７ａ１、７ｂ１と後身頃３の左右縁７ａ２、７ｂ２を互いに合掌状に接合して、おむつ１の左右に接合部８ａ、８ｂを形成することによって構成される。
上記おむつ１は、人がおむつを脱着するために、腰開口部４、左右脚開口部５ａ、５ｂを備えている。このおむつ１を正面から捉えた図が第１図である。
【００２３】
おむつ１には、おむつの身体へのフィット性を高め、尿等の漏れを防止するために弾性部材が配設される。本実施例では、複数本の天然ゴム糸、合成ゴム糸や、伸縮性の不織布や伸縮生のフィルム等が弾性部材として全面的若しくは部分的に配設される。腰開口部４周縁に複数本、前身頃２及び後身頃３にそれぞれ複数本、左右の脚開口部５ａ、５ｂ周縁と股間部６にかけて複数本、それぞれの周囲方向に沿って配設される。第１図乃至第３図では、腰開口部周縁に、例えば３本、前身頃及び後身頃に、例えばそれぞれ３本、左右の脚開口部周縁と股間部にかけて、例えば３本配設されているが、勿論、身体への装着感や防漏性を考慮して本数は任意でよい。
特に、ボディギャザー２１を形成している前身頃及び後身頃に配設される弾性部材は、図面を簡潔に示すために本数を少なくしているので、実際にはもっと多く配設される場合がある。これらの弾性部材により、腰周り、胴回り及び脚回りにそれぞれ、周囲方向に沿って、ウェストギャザー２０、ボディギャザー２１と、左右レッグギャザー９ａ、９ｂが形成される。
【００２４】
上記左右レッグギャザー９ａ、９ｂに着目して更に説明すると、左右の脚開口部５ａ、５ｂと股間部６にかけて複数本配誰される弾性部材は、第１及び第２の脚回り弾性部材１５ａ、１５ｂから成る。
おむつの前身頃２の左右縁７ａ１、７ｂ１と後身頃３の左右縁７ａ２、７ｂ２との接合を解き、第２図に示す如くおむつを展開した状態において、第１脚回り弾性部材１５ａは、前身頃２の左縁７ａ１から前記吸収体１２の左側の立体ギャザー１３を越えて股間部６前縁を経由し、更に前記吸収体１２の右側の立体ギャザー１３を越えて前身頃２の右縁７ｂ１まで、ほぼ直線状に配設され、他方、第２脚回り弾性部材１５ｂも、後身頃３の左縁７ａ２からら前記吸収体１２の左側の立体ギャザー１３を越えて股間部６後縁を経由し、更に前記吸収体１２の右側の立体ギャザー１３を越えて後身頃３の右縁７ｂ２まで、ほぼ直線状に配設される。
従来技術に係る脚回り弾性部材とは異なり、左右脚開口部の前後側縁に沿って、股間部中央を経由して配設されるというものではない。
【００２５】
本発明に係る第１実施例では、第２図に示し、上記したように、おむつを展開した状態において、上記第１及び第２脚回り弾性部材１５ａ、１５ｂが、おむつの幅方向に沿って、ほぼ直線状に配設される。
この弾性部材の配設形態を底面から見ると、第３図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。
【００２６】
以上に対して、従来技術に係るおむつにおいては、上記したように、脚回り弾性部材を脚開口部５４周縁に沿って配設し、股間部５６中央を経由する配設形態を取っているため、左右のレッグギャザー５９ａ、５９ｂが、矢印Ｐ’に図示されるように、左右の脚開口部５５ａ、５５ｂ周縁を別々にリング状に囲んで、太股と脚開口部５５ａ、５５ｂ周縁を密着させている。
【００２７】
第１図に従って更に説明すると、吸収体１２の左側縁１２ａと第１脚回り弾性部材１５ａとの接触点１７を通る仮想水平線Ａ並びに、当該接触点１７と、第１脚回り弾性部材１５ａ及び前身頃２の左縁７ａ１の交点１８を結ぶ仮想直線Ｃが示されているが、上記の結果として、第１図に図示される第１実施例における仮想水平線Ａに対する仮想直線Ｃの角度Ｘは３０度以下、好ましくは、２０度以下に設定される。上述したように、従来技術に係るおむつの仮想水平線Ａ’に対する仮想直線Ｃ’の角度は４５度以上であるから、それに比して角度が小さい。
このことは、吸収体の右側縁１２ｂと第１脚回り弾性部材１５ａとの接触点を通る仮想水平線Ａに対する、当該接触点と第１脚回り弾性部材１５ａ及び前身頃の右縁７ｂ１の交点を結ぶ仮想直線の角度においても同様である。
【００２８】
次に、第２実施例について、第１実施例と異なる箇所を、第４図及び第５図に従って説明する。第１実施例と同一の箇所に関しては、第１実施例の説明と同様であるから、第１実施例と同一の符号を付して、説明を省略する。
【００２９】
第２実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成る。
おむつの前身頃２の左右縁７ａ１、７ｂ１と後身頃３の左右縁７ａ２、７ｂ２との接合を解き、第５図に示す如くおむつを展開した状態において、第１脚回り弾性部材１５ａは、前身頃２の左縁７ａ１から前記吸収体１２の左側の立体ギャザー１３を越えて股間部６前縁を経由し、更に前記吸収体１２の右側の立体ギャザー１３を越えて前身頃２の右縁７ｂ１まで、直線状に配設され、他方、第２脚回り弾性部材１５ｂも、後身頃３の左縁７ａ２から前記吸収体１２の左側の立体ギャザー１３を越えて股間部６後縁を経由し、更に前記吸収体１２の右側の立体ギャザー１３を越えて後身頃３の右縁７ｂ２まで、直線状に配設される。
従来技術に係る脚回り弾性部材とは異なり、左右脚開口部の前後側縁に沿って、股間部中央を経由して配設されるというものではない。
【００３０】
本発明に係る第２の実施例では、第５図に示しているように、おむつを展開した状態において、上記第１及び第２脚回り弾性部材１５ａ、１５ｂが、おむつの幅方向に沿って、直線状に配設されており、第１脚回り弾性部材１５ａと第２脚回り弾性部材１５ｂは、平行に配設される。
この弾性部材の配設形態を底面から見ると、第３図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。
なお、第３図は第１実施例におけるおむつの底面図ではあるが、第２実施例の底面もほぼ同様であるから、この段落では、第３図を流用して第２実施例を説明している。
【００３１】
第４図において更に説明すると、吸収体１２の左側縁１２ａと第１脚回り弾性部材１５ａとの接触点１７を通る仮想水平線Ａ並びに、当該接触点１７と、第１脚回り弾性部材１５ａ及び前身頃２の左縁７ａ１の交点１８を結ぶ仮想直線Ｃが示されているが、上記の結果として、第４図に図示される第２実施例における仮想水平線Ａに対する仮想直線Ｃの角度は０度に設定される（つまり仮想直線Ｃは水平に設定される。）。
上述したように、従来技術に係るおむつの仮想水平線Ａ’に対する仮想直線Ｃ’の角度は４５度以上であるから、それに比して角度が小さい。このことは、吸収体の右側縁１２ｂと第１脚回り弾性部材１５ａとの接触点を通る仮想水平線Ａに対する、当該接触点と第１脚回り弾性部材１５ａ及び前身頃の右縁７ｂ１の交点を結ぶ仮想直線の角度においても同様である。
【００３２】
第３に、第３実施例について、第１実施例と異なる箇所を、第６図及び第８図に従って説明する。第１実施例と同一の箇所に関しては、第１実施例での説明と同様であるから、第１実施例と同一の符号を付して、説明を省略する。
第３実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成り、第１脚回り弾性部材１５ａは、第１脚回り弾性部材左部１５ａ１と右部１５ａ２から構成され、第２脚回り弾性部材１５ｂは、第２脚回り弾性部材左部１５ｂ１と右部１５ｂ２から構成される。
【００３３】
おむつの前身頃２の左右縁７ａ１、７ｂ１と後身頃３の左右縁７ａ２、７ｂ２との接合を解き、第６図に示す如くおむつを展開した状態において、第１脚回り弾性部材左部１５ａ１は、前身頃２の左縁７ａ１から吸収体１２の左側縁１２ａの立体ギャザー１３を越える所まで配設され、第１脚回り弾性部材右部１５ａ２は、前身頃２の右縁７ｂ１から吸収体の右側縁１２ｂの立体ギャザー１３を越える所まで配設され、第１脚回り弾性部材１５  第２脚回り弾性部材左部１５ｂ１は、後身頃３の左縁７ａ２から吸収体の左側縁１２ａの立体ギャザー１３を越える所まで配設され、第２脚回り弾性部材右部１５ｂ２は、後身頃３の右縁７ｂ２から吸収体の右側縁１２ｂの立体ギャザー１３を越える所まで配設され、第２脚回り弾性部材１５ｂは、幅方向に沿ってほぼ直線状に配設されることとなる。
【００３４】
本発明に係る第３の実施例では、第６図に示しているように、おむつを展開した状態において、上記第１脚回り弾性部材左部１５ａ１及び右部１５ａ２並びに、上記第２脚回り弾性部材左部１５ｂ１及び右部１５ｂ２が、おむつの幅方向に沿って、ほぼ直線状に配設される。
この弾性部材の配設形態を底面から見ると、第８図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。
【００３５】
第８図に示されるように、第３実施例においては、第１実施例とは異なり、第１脚回り弾性部材の左右部１５ａ１、１５ａ２が連続した弾性部材ではなく、股間部６前縁にて断絶しており、第２脚回り弾性部材の左右部１５ｂ１、１５ｂ２が連続した弾性部材ではなく、股間部６後縁にて断絶している。
しかし、第６図に図示されているように、おむつを展開した状態において、第１脚回り弾性部材左部１５ａ１は前身頃２の左縁７ａ１から吸収体１２の左側縁１２ａの立体ギャザー１３を越える所まで配設され、第１脚回り弾性部材右部１５ａ２は前身頃２の右縁７ｂ１から吸収体の右側縁１２ｂの立体ギャザー１３を越える所まで配設され、第２脚回り弾性部材左部１５ｂ１は後身頃３の左縁７ａ２から吸収体の左側縁１２ａの立体ギャザー１３を越える所まで配設され、第２脚回り弾性部材右部１５ｂ２は後身頃３の右縁７ｂ２から吸収体の右側縁１２ｂの立体ギャザー１３を越える所まで配設される。
【００３６】
従って、脚回り弾性部材１５ａ、１５ｂが、吸収体１２と外装シート１１との接合領域の一部に掛かることとなり、第１実施例と同様に、第１脚回り弾性部材の左右部１５ａ１、１５ａ２と第２脚回り弾性部材の左右部１５ｂ１、１５ｂ２が、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえることになる。
【００３７】
第４に、第４実施例について、第２実施例と異なる箇所を、第７図に従って説明する。第２実施例と同一の箇所に関しては、第２実施例での説明と同様であるから、第２実施例と同一の符号を付して、説明を省略する。
第４実施例について、左右レッグギャザー９ａ、９ｂに着目して説明すると、左右の脚開口部５ａ、５ｂと股間部６にかけて複数本配設される弾性部材は、第１及び第２の脚回り弾性部材１５ａ、１５ｂから成り、第１脚回り弾性部材１５ａは、第１脚回り弾性部材左部１５ａ１と右部１５ａ２から構成され、第２脚回り弾性部材１５ｂは、第２脚回り弾性部材左部１５ｂ１と右部１５ｂ２から構成される。
【００３８】
おむつの前身頃２の左右縁７ａ１、７ｂ１と後身頃３の左右縁７ａ２、７ｂ２との接合を解き、第７図に示す如くおむつを展開した状態において、第１脚回り弾性部材左部１５ａ１は、前身頃２の左縁７ａ１から吸収体１２の左側縁１２ａの立体ギャザー１３を越える所まで配設され、第１脚回り弾性部材右部１５ａ２は、前身頃２の右縁７ｂ１から吸収体の右側縁１２ｂの立体ギャザー１３を越える所まで配設され、第１脚回り弾性部材１５ａは、幅方向に沿って直線状に配設されることとなる。
第２脚回り弾性部材左部１５ｂ１は、後身頃３の左縁７ａ２から吸収体の左側縁１２ａの立体ギャザー１３を越える所まで配設され、第２脚回り弾性部材右部１５ｂ２は、後身頃３の右縁７ｂ２から吸収体の右側縁１２ｂの立体ギャザー１３を越える所まで配設され、第２脚回り弾性部材１５ｂは、幅方向に沿って直線状に配設されることとなる。
【００３９】
本発明に係る第４の実施例では、第７図に示しているように、おむつを展開した状態において、上記第１脚回り弾性部材左部１５ａ１及び右部１５ａ２並びに、上記第２脚回り弾性部材左部１５ｂ１及び右部１５ｂ２が、おむつの幅方向に沿って、直線状に配設される。
この弾性部材の配設形態を底面から見ると、第８図のおむつの底面図に示されるように、第１及び第２脚回り弾性部材１５ａ、１５ｂが、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえる。なお、第８図は第３実施例の底面図であるが、第４実施例の底面も第８図とほぼ同様に表される。
【００４０】
第４実施例においては、第２実施例とは異なり、第１脚回り弾性部材の左右部１５ａ１、１５ａ２が連続した弾性部材ではなく、股間部６前縁にて断絶しており、第２脚回り弾性部材の左右部１５ｂ１、１５ｂ２が連続した弾性部材ではなく、股間部６後縁にて断絶している。
しかし、第７図に図示されているように、おむつを展開した状態において、第１脚回り弾性部材左部１５ａ１は前身頃２の左縁７ａ１から吸収体１２の左側縁１２ａの立体ギャザー１３を越える所まで配設され、第１脚回り弾性部材右部１５ａ２は前身頃２の右縁７ｂ１から吸収体の右側縁１２ｂの立体ギャザー１３を越える所まで配設され、第２脚回り弾性部材左部１５ｂ１は後身頃３の左縁７ａ２から吸収体の左側縁１２ａの立体ギャザー１３を越える所まで配設され、第２脚回り弾性部材右部１５ｂ２は後身頃３の右縁７ｂ２から吸収体の右側縁１２ｂの立体ギャザー１３を越える所まで配設される。
【００４１】
従って、脚回り弾性部材１５ａ、１５ｂが、吸収体１２と外装シート１１との接合領域の一部に掛かることとなり、第２実施例と同様に、第１脚回り弾性部材の左右部１５ａ１、１５ａ２と第２脚回り弾性部材の左右部１５ｂ１、１５ｂ２が、左右の脚開口部５ａ、５ｂを一対として取り囲んで、ラウンド状に構成され、左右のレッグギャザー９ａ、９ｂが、矢印Ｐに図示されるように、一対の左右脚開口部５ａ、５ｂを全体として一つのラウンド状に囲んで脚を押さえることになる。
【００４２】
以上の第１乃至第４実施例のようにトランクス型おむつを構成することによって、左右のレッグギャザー９ａ、９ｂが、左右双方の脚開口部５ａ、５ｂを一対として、一つのラウンド状として囲んで両脚を押さえることが可能になり、吸収体を幅方向に広げるカが働く。
【００４３】
また、脚回り弾性部材１５ａ、１５ｂの収縮力は、上記仮想直線Ｃに沿って作用するところ、上記仮想水平線Ａに対する上記仮想直線Ｃの角度は従来に比して小さいため、上記仮想直線Ｃに沿って作用する収縮力の分力である水平方向のカＭ、換言すると、脚回り弾性部材１５ａ、１５ｂの収縮力により生じる上記接触点１７を基点としておむつの側方に向かう水平方向のカＭが強くなり、それに応じて吸収体１２が幅方向に広がるカが強くなるので、吸収体１２が紐状又は帯状になりにくいと共に、股間部６における左右の脚開口部５ａ、５ｂ周縁と太股との隙間が生じるのを防ぐ効果が従来より高くなる。
【００４４】
また、左右の脚開口部が一対としてラウンド状に囲まれるため、脱着時に足の出し入れがしにくいという問題点が改善される。
即ち、左右の脚開口部が一対としてラウンド状に囲まれているため、両腕でおむつを左右に開くことにより左右の脚開口部が連動して広がることから、従来技術とは異なり、おむつ装着の際に片足ずつおむつに入れるという手間を省くことができる。
【００４５】
換言すると、左右の脚開口部をそれぞれリング状に縮まる従来のおむつでは、両手でおむつを左右に開かなければ、おむつ装着の際に必要である脚を通す開口を作り出すことができないが、本発明に係るおむつによれば、上記構成により、おむつの一部、例えば、レッグギャザーや吸収体の一部を固定することによって片手で脚を通す開口を得ることができる。
【００４６】
このことは、片手が不自由な老人等にとっておむつの履き替えを大幅に改善できることを意味し、おむつを一人で自立装着できる機会が広がるという効果が生まれる。更に、左右の脚開口部が一対としてラウンド状となるため、着用時には太股が締め付けられることがなく、弾性部材の締め付けた跡がつく等することがなく、太股の血行にも良い。
【産業上の利用可能性】
【００４７】
以上のように、本発明に係るトランクス型おむつは、左右の脚回りに関して、良好な着用感、排泄物の安定した吸収性及び高い防漏生を備えているので、乳幼児、失禁者又は成人用のトランクス型おむつとして有用である。
【国際調査報告】
2009081505.tif 000016
2009081505.tif 000017
2009081505.tif 000018
2009081505.tif 000019